(57)【要約】【課題】蓋閉止時に電池蓋体をスライド移動させて電池ケースを開放可能にする電池蓋に対して、蓋閉止時に電池蓋体のスライド移動を阻止するための係合長穴および、その係合長穴に係合する係合部を設けた構造において、係合部の摩耗を回避できる電子機器の電池蓋構造を提供する。【解決手段】電池蓋体９がスライド自在に装着される押さえ板１４に平面視Ｌ字形状の係合長穴４０を形成し、電池蓋体９に、ロックレバー部８および、係合部２９が形成されたロックレバー受け部１０を上記スライド方向に垂直な方向に摺動自在に装着する。この係合長穴４０の第２長穴４２に係合部２９が係合すると、電池蓋体９のスライド動作が阻止される。電池蓋体９のスライド動作時には、係合部２９は第１長穴４１に係合する。この係合長穴４０の壁面を、板ばね体１１の一部であるトレース部３４にて覆い、係合部２９の摩耗を低減する。【選択図】図３
2008181767.tif 000002
【特許請求の範囲】
【請求項１】
電子機器に対して回動自在に軸支される回動板と、前記回動板の外側に、前記回動板の回動軸に垂直な方向にスライド自在に装着された電池蓋体と、前記電池蓋体の外側に、前記回動板の回動軸に平行な方向にスライド自在に取り付けられたロックレバー部と、前記回動板に形成された係合長穴と、前記電池蓋体の内側に取り付けられ、前記係合長穴に係合し、前記ロックレバー部のスライド動作に連動して前記回動板の回動軸に平行な方向にスライドする係合部と、を備え、前記電子機器の内部に設けられた電池ケースを開閉する電池蓋の構造であって、
前記係合長穴は、前記回動板の回動軸に垂直な方向に長い第１長穴と、回動軸に平行な方向に長く且つ第１端部が前記第１長穴の回動軸側の端部と結合して前記第１長穴に連続する第２長穴と、からなり、
前記回動板は、その外側に、前記電池蓋体のスライド動作時に前記電池蓋体の一部に係合して、前記回動板の回動軸側の第１位置および回動軸とは反対側の第２位置にて前記電池蓋体を係止する板ばね体を備え、
前記板ばね体は、その一部として一体形成された前記係合長穴の壁面の一部または全部を覆う滑り面部を備え、
前記電池蓋体は、前記ロックレバー部を前記第２長穴の第１端部とは反対側の第２端部側へ付勢する付勢部材を備え、
前記係合部は、前記滑り面部により覆われた前記係合長穴に係合し、前記電池蓋体が前記第１位置にあるとき、前記第２長穴に係合して前記電池蓋体のスライド動作を阻止し、前記ロックレバー部が前記第２長穴の第１端部側へスライド移動すると、前記第２長穴との係合から解放され、前記電池蓋体のスライド動作時には、前記第１長穴に係合する
ことを特徴とする電子機器の電池蓋構造。
【発明の詳細な説明】
【技術分野】
【０００１】
本発明は、電子機器の内部に設けられた電池ケースを開閉する電池蓋の構造に関する。
【背景技術】
【０００２】
従来、電子機器の内部に設けられた電池ケースを開閉する電池蓋に関して、各種の構造が提案されている。例えば、特許文献１には、カメラの電池蓋の構造として、ヒンジピンによりカメラ本体に対して回動自在に支持されるヒンジ板と、該ヒンジ板の外側に該ヒンジ板に対してスライド自在に取り付けられた電池蓋体とを備え、電池蓋体に、電池蓋の閉止位置にて電池蓋体をヒンジピン側へスライド移動させることでカメラカバーの係止孔に係止する係止爪を設けた構造の電池蓋が開示されている。
【特許文献１】特開２００３−１４２８４１号公報
【発明の開示】
【発明が解決しようとする課題】
【０００３】
上記した従来の電池蓋構造には、電池蓋体に、電池蓋の閉止位置にて電池蓋体をヒンジピン側へスライド移動させることでカメラカバーの係止孔に係止する係止爪が設けられているのみであり、電池蓋が閉止した状態において、電池蓋体のスライド動作を阻止する手段がない。
【０００４】
そこで、上記した従来の電池蓋の構造に対して、電池蓋体に、電池蓋体のスライド方向に垂直な方向にスライドするロックレバー部、およびロックレバー部のスライド動作に連動して電池蓋体のスライド方向に垂直な方向にスライドする係合部を設けるとともに、ヒンジ板に前記係合部が係合する平面視Ｌ字形状の係合長穴を設けて、電池蓋が閉止した状態において、前記係合長穴の電池蓋体のスライド方向に垂直な方向の部分に前記係合部を係合させることで、電池蓋体のスライド動作を阻止し、電池蓋をスライドさせるときには、前記係合長穴の電池蓋体のスライド方向に平行な方向の部分に前記係合部を係合させる構成を別途付加することが考えられる。
【０００５】
しかしながら、電池蓋の剛性を確保するためにヒンジ板は金属製であり、そのため前記係合長穴の端面は粗く、前記係合部が前記係合長穴をスライドする際の摺動抵抗が大きくなり、係合部の摩耗や、摩擦によるスライド動作阻害の問題が起こる。
【０００６】
本発明は、上記問題点に鑑み、係合長穴をスライドする係合部の摩耗や、摩擦によるスライド動作阻害を回避できる電子機器の電池蓋構造を提供することを目的とする。
【課題を解決するための手段】
【０００７】
本発明の電子機器の電池蓋構造は、電子機器に対して回動自在に軸支される回動板と、前記回動板の外側に、前記回動板の回動軸に垂直な方向にスライド自在に装着された電池蓋体と、前記電池蓋体の外側に、前記回動板の回動軸に平行な方向にスライド自在に取り付けられたロックレバー部と、前記回動板に形成された係合長穴と、前記電池蓋体の内側に取り付けられ、前記係合長穴に係合し、前記ロックレバー部のスライド動作に連動して前記回動板の回動軸に平行な方向にスライドする係合部と、を備え、前記電子機器の内部に設けられた電池ケースを開閉する電池蓋の構造であって、前記係合長穴は、前記回動板の回動軸に垂直な方向に長い第１長穴と、回動軸に平行な方向に長く且つ第１端部が前記第１長穴の回動軸側の端部と結合して前記第１長穴に連続する第２長穴と、からなり、前記回動板は、その外側に、前記電池蓋体のスライド動作時に前記電池蓋体の一部に係合して、前記回動板の回動軸側の第１位置および回動軸とは反対側の第２位置にて前記電池蓋体を係止する板ばね体を備え、前記板ばね体は、その一部として一体形成された前記係合長穴の壁面の一部または全部を覆う滑り面部を備え、前記電池蓋体は、前記ロックレバー部を前記第２長穴の第１端部とは反対側の第２端部側へ付勢する付勢部材を備え、前記係合部は、前記滑り面部により覆われた前記係合長穴に係合し、前記電池蓋体が前記第１位置にあるとき、前記第２長穴に係合して前記電池蓋体のスライド動作を阻止し、前記ロックレバー部が前記第２長穴の第１端部側へスライド移動すると、前記第２長穴との係合から解放され、前記電池蓋体のスライド動作時には、前記第１長穴に係合することを特徴とする。
【発明の効果】
【０００８】
本発明によれば、板ばね体に一体形成された滑り面部により係合長穴の壁面を覆うことで、係合長穴の壁面に接しながらスライド移動する係合部の摩耗、破損や、摩擦によるスライド動作阻害を回避できる。また、板ばね体の本来の機能である電池蓋体の係止を兼ねているので新たなパーツを追加せずにすむ。
【発明を実施するための最良の形態】
【０００９】
以下、本発明の実施の形態について図面を用いて説明する。本実施の形態では、電子機器の電池蓋の一例として、ストロボ装置の電池蓋の構造について説明する。図１は、本実施の形態におけるストロボ装置の上側からみた斜視図であって、電池蓋が閉止した状態を示す。図２は、本実施の形態におけるストロボ装置の底側からみた斜視図であって、電池蓋を開放した状態を示す。図３は、上記電池蓋の分解斜視図である。
【００１０】
図１、２に示すように、本ストロボ装置は、本体部１と、被写体を照明する発光部２と、発光部２を本体部１に連結する連結部３とからなり、本体部１の内部に、４本の電池４を装填可能な電池ケース５が設けられ、本体部１の右側面に電池ケースの開口凹部６と、その開口凹部６を開閉する電池蓋７が配置される。電池蓋７は、本体部１の右側面の上側（発光部１側）に回動自在に固定されたヒンジピン（不図示）に支持され、電池ケース５を開閉する位置に回動でき、図１に示すように、電池蓋閉止状態のときに電池ケースの開口凹部６に嵌合される。
【００１１】
上記電池蓋７は、図３の分解斜視図に示すように、ロックレバー部８と、電池蓋体９と、ロックレバー受け部１０と、板ばね体１１と、蓋付勢ばね１２と、本体部１に回動自在に固定されるヒンジピン１３と、ヒンジピン１３により回動自在に支持される押さえ板（回動板）１４と、押さえ板１４に装着される防水パッキン体１５と、防水パッキン体１５を介して押さえ板１４に装着される端子押さえ板１６と、端子押さえ板１６に装着される２つの端子１７とを有してなり、電池蓋体９は、押さえ板１４の外側にスライド自在に装着される。電池蓋体９のスライド方向は、電池蓋７の回動軸、すなわち押さえ板１４の回動軸（ヒンジピン１３の回動軸）に垂直な方向であり、図１に示す電池蓋閉止状態から電池蓋体９を本体部１の底部側へスライド移動させることで、電池蓋７の開放が可能となる。
【００１２】
上記電池蓋体９は、樹脂製であり、図２、３に示すように、ヒンジピン１３の回動軸と平行な方向の両端面に、電池ケース５側へ突出するスライドガイド部１８を有する。電池蓋体９は、スライドガイド部１８を押さえ板１４のヒンジピン１３の回動軸と平行な方向の両端部に係合させることで、押さえ板１４の外側にスライド自在に装着される。
【００１３】
また、このスライドガイド部１８の外側にはそれぞれヒンジピン１３側が開口する断面Ｌ字形状の３つのスライド係合部１９が形成されている。一方、電池ケースの開口凹部６の上記スライドガイド部１８に対向する両壁面にはそれぞれ３つの被係合部２０が形成されており、電池蓋体９が押さえ板１４の回動軸側（ヒンジピン１３側）の係止位置（第１位置）にあるとき、被係合部２０が上記した断面Ｌ字形状のスライド係合部１９に係合して、電池蓋体９の閉止状態が保持される。また、電池蓋体９を押さえ板１４の回動軸とは反対側（本体部１の底部側）の非係止位置（第２位置）へスライド移動させて上記係合を解放すると、蓋付勢ばね１２の付勢力により電池蓋７は開放位置へ回動する。
【００１４】
なお、ここでは、被係合部２０は、押さえ板１４の回動軸とは反対側（反ヒンジピン側）が開口する断面Ｌ字形状をしており、電池蓋体９を反ヒンジピン側へスライド移動させたときに、スライド係合部１９の反ヒンジピン側の面が被係合部２０のヒンジピン１３側の面に当接することで、非係止位置にて電池蓋体９のスライド動作を止めることができる。
【００１５】
さらに、電池蓋体９の内側面には断面Ｌ字形状の２つの係止爪２１が設けられており、電池蓋体９が係止位置にあるとき、電池ケースの開口凹部６内に設けられた２つの被係止部２２に係止爪２１が係合して、電池蓋体９の閉止状態が保持される。また、電池蓋体９を反ヒンジピン側へスライド移動させると、係止爪２１と被係止部２２との係合が解放される。
【００１６】
また図１に示すように、電池蓋体９の電池ケース５とは反対側の外側面には凹部２３が設けられており、この凹部２３上に、ロックレバー部８が、電池蓋７の回動軸、すなわち押さえ板１４の回動軸（ヒンジピン１３の回動軸）に平行な方向に摺動自在に装着される。
【００１７】
また電池蓋体９の凹部２３には、図３に示すように、ロックレバー部８の内側（電池蓋体９側）に設けられた突起部２４が挿入されるスライド穴２５が形成されている。このスライド穴２５は、電池蓋体９のスライド方向に垂直な方向、すなわち電池蓋７の回動軸に平行な方向に長い長穴であり、ロックレバー部８は、その方向にスライド自在である。
【００１８】
ロックレバー部８は、電池蓋体９が係止位置にあるとき、電池蓋体９の押さえ板１４に対するスライド動作を阻止するロック部材であり、本体部１の前面側のロック位置にあるとき、電池蓋体９のスライド動作をロックする。一方、撮影者が手動操作にてロックレバー部８を本体部１の後面側へスライド移動させ、ロックレバー部８を非ロック位置にすると、電池蓋体９のロック状態は解除され、このロック状態が解除されているときに、撮影者は、手動操作にて電池蓋体９を反ヒンジピン側へスライド移動させることができる。
【００１９】
また、電池蓋体９の内側面には、図３に示すように、ロックレバー受け部１０の突起部２６に取り付けられた付勢用つるまきばね（付勢部材）２７が嵌合する嵌合部２８が形成されている。突起部２６は、本体部１の後面側へ突出しており、この突起部２６に取り付けられた付勢用つるまきばね２７を電池蓋体９の嵌合部２８に嵌合させることで、ロックレバー部８は、常時、本体部１の前面側へ付勢される。
【００２０】
また、ロックレバー受け部１０には、ロックレバー部８の突起部２４が嵌合される穴部が設けられており、電池蓋体９の凹部２３にロックレバー部８を配置して、スライド穴２５からロックレバー部８の突起部２４を突出させて、電池蓋体９の内側面に配置したロックレバー受け部１０の穴部に嵌合させることで、ロックレバー部８は、電池蓋体９の凹部２３に摺動自在に固定される。同時に、ロックレバー受け部１０の突起部２６に取り付けられた付勢用つるまきばね２７を嵌合部２８に嵌合させることで、ロックレバー部８は、常時、本体部１の前面側へ付勢される。この付勢用つるまきばね２７の付勢力により、電池蓋体９が上記係止位置にあるとき、ロックレバー部８は上記ロック位置に位置し、電池蓋体９のスライド動作がロックされる。このロック状態を解除するときは、付勢用つるまきばね２７の付勢力に抗して手動操作にてロックレバー部８を上記非ロック位置へスライド移動させる。
【００２１】
またロックレバー受け部１０には、押さえ板１４側へ突出して、後述する押さえ板１４の係合長穴に係合する係合部２９が形成されている。この電池蓋体９の内側に取り付けられた係合部２９は、電池蓋体９が上記係止位置にあるとき、ロックレバー部８のスライド動作に連動して押さえ板１４の回動軸に平行な方向にスライドする。一方、ロックレバー部８が上記非ロック位置にあるときには、電池蓋体９のスライド動作に連動して押さえ板１４の回動軸に垂直な方向にスライドする。
【００２２】
また、電池蓋体９の内側面には、さらに、上記した係止位置と非係止位置において、板ばね体１１に設けられたクリック用ばね３０が係合する一時係合部３１が設けられている。またさらに、電池蓋体９を反ヒンジピン側へスライド移動させたときに、板ばね体１１に設けられた蓋止め部３２が当接して、非係止位置にてスライド動作を止めるための蓋止め突起部３３が設けられている。
【００２３】
板ばね体１１は、その一部として一体形成された上記クリック用ばね３０および蓋止め部３２を備える。クリック用ばね３０は、電池蓋体９を上記した係止位置および非係止位置の各位置に位置決めするための付勢部材であり、電池蓋体９のスライド動作時に上記した一時係合部３１に係合して、係止位置および非係止位置にて電池蓋体９を係止する。さらに、板ばね体１１は、その一部として一体形成されたトレース部３４を備える。トレース部３４は、後述する押さえ板１４の係合長穴の壁面（端面）の一部または全部を覆う滑り面部として機能する。
【００２４】
また、板ばね体１１には、板ばね体１１を押さえ板１４に装着するためのネジ挿通穴３５が設けられている。また、板ばね体１１には、曲がり防止用のリブ３６や、蓋止め部３２の補強用の凹部３７が形成されている。
【００２５】
押さえ板１４は、金属板で形成され、例えばステンレス製であり、電池蓋７の剛性を確保している。この押さえ板１４は、回動軸側にヒンジピン１３が回転自在に嵌入する軸支持部３８を備え、本体部１に対して回動自在に軸支される。また、押さえ板１４には、その外側に板ばね体１１を装着し、内側に防水パッキン体１５および端子押さえ板１６を装着するためのネジ挿通穴３９が設けられている。なお、蓋付勢ばね１２は、軸支持部３８に挿入されたヒンジピン１３により支持される。
【００２６】
さらに、押さえ板１４には、上記したロックレバー受け部１０の係合部２９が係合する係合長穴４０が形成されている。この係合長穴４０は、平面視Ｌ字状であり、電池蓋体９のスライド方向（押さえ板１４の回動軸に垂直な方向）に長い第１長穴４１と、電池蓋体９のスライド方向に垂直な方向、すなわちロックレバー部８のスライド方向に平行な方向（押さえ板１４の回動軸に平行な方向）に長い第２長穴４２からなる。第２長穴４２は、その一方の端部（第１端部）が第１長穴４１のヒンジピン１３側（押さえ板１４の回動軸側）の端部と結合して第１長穴４１に連続して形成されている。
【００２７】
ロックレバー受け部１０の係合部２９は、ロックレバー部８が上記ロック位置にあるとき、第２長穴４２の上記一方の端部とは反対側の端部（第２端部）に位置する。一方、ロックレバー部８が上記非ロック位置にあるとき、係合部２９は第２長穴４２の上記一方の端部（第１端部）に位置する。
【００２８】
すなわち、電池蓋体９が係止位置にあるとき、上記した付勢用つるまきばね２７の付勢力により、ロックレバー部８は第２長穴４２の第２端部側へ付勢されてロック位置に位置し、ロックレバー受け部１０の係合部２９は第２長穴４２の第２端部に位置する。一方、手動操作によりロックレバー部８を第２長穴４２の第１端部側へスライド移動させ、ロックレバー部８を上記非ロック位置に位置させたとき、係合部２９は第２長穴４２の第１端部に位置する。
【００２９】
よって、上記したトレース部３４により壁面（端面）の一部または全部が覆われた係合長穴４０に係合する係合部２９は、電池蓋体９が上記係止位置にあるとき、第２長穴４２に係合して電池蓋体９のスライド動作を阻止する。一方、手動操作によりロックレバー部８を上記非ロック位置に位置させると、係合部２９は第２長穴４２との係合から解放され、電池蓋体９のスライド動作が可能となり、電池蓋体９のスライド動作時には、第１長穴４１に係合して、電池蓋体９のスライド動作に連動して押さえ板１４の回動軸に垂直な方向にスライドする。
【００３０】
ここで、ロックレバー部８およびロックレバー受け部１０は金属製であってもよいが、板ばね体１１のトレース部３４により係合長穴４０の壁面の全部または一部を覆う構成であるので、樹脂製の方が滑りがよくなる。
【００３１】
このように板ばね体１１に一体形成されたトレース部３４により係合長穴４０の壁面を覆うことで、係合長穴４０の壁面に接しながらスライド移動する樹脂製の係合部２９の摩耗、破損を防止できる。さらに、係合部２９を係合長穴４０の深さ方向に浅く形成することで、ロックレバー受け部１０を樹脂製としても破損の心配がより少なくなる。また、電池蓋７を閉止した後、ロックレバー部８が付勢用つるまきばね２７によりスムーズにロック位置に戻る。また、板ばね体１１の本来の機能（スライド止め、クリック）を兼ねているので新たなパーツを追加せずにすむ。
【００３２】
防水パッキン体１５は、樹脂製であり、端子押さえ板１６が嵌合される凹部４３が電池ケース５側に設けられている。この防水パッキン体１５の凹部４３の外側の壁面は、電池蓋７が閉止位置にあるとき、電池ケース５の内壁面に密着し、水密状態となる。また、防水パッキン体１５には、ネジ挿通穴４４が設けられている。
【００３３】
端子押さえ板１６は、樹脂製であり、図２に示すように、防水パッキン体１５の凹部４３に嵌め込まれる。また、端子押さえ板１６には、図示しないが、押さえ板１４側（電池ケース５とは反対側）が開口するネジ穴が設けられている。また、電池ケース５側の面には、端子取り付け用の凹部４５と、第１突起部４６が設けられている。また、電池の逆入れ防止用に、プラス用端子周りに突出する第２突起部４７が設けられている。
【００３４】
端子１７には、接点部４８ａ、４８ｂと、貫通穴４９とが設けられている。この端子１７は、端子押さえ板１６の凹部４５に嵌め込まれ、貫通穴４９に挿入した第１突起部４６にて熱カシメにより端子押さえ板１６に固着される。
【００３５】
電池蓋７は、押さえ板１４の電池ケース５とは反対側に板ばね体１１を配置し、押さえ板１４の電池ケース５側に、端子１７が固着され、防水パッキン体１５の凹部４３に嵌めこまれた端子押さえ板１６を配置して、板ばね体１１のネジ挿通穴３５、押さえ板１４のネジ挿通穴３９、防水パッキン体１５のネジ挿通穴４４、および端子押さえ板１６のネジ穴に、板ばね体１１側からネジ５０を螺着することで、押さえ板１４に板ばね体１１、防水パッキン体１５、および端子押さえ板１６を装着し、この押さえ板１４のヒンジピン１３の回動軸と平行な方向の両端部と電池蓋体９のスライドガイド部１８とを係合させて、組み立てられる。
【００３６】
上記組み立て状態の電池蓋７において、電池蓋体９は、押さえ板１４に対して、反ヒンジピン側に所定量だけスライド移動が可能となっている。上述のようにして組み立てられた電池蓋７は、ヒンジピン１３により電池ケースの開口凹部６の端部に回動自在に取り付けられ、電池ケースの開口凹部６を開閉可能とする。
【００３７】
電池蓋７が閉止位置にあり、且つ電池蓋体９がヒンジピン１３側の係止位置にスライドしているとき、ロックレバー部８は付勢用つるまきばね２７の付勢力によりロック位置にあり、ロックレバー受け部１０の係合部２９が押さえ板１４の係合長穴４０の第２長穴４２に係合しているので、電池蓋体９のスライド動作がロックされ、電池蓋７は閉止位置にロックされる。
【００３８】
また、電池蓋７を閉めるときには、防水パッキン体１５の凹部４３の外周部（リブ）を電池ケース５内周に内嵌させるために、指圧にて電池蓋７を押圧し所定緊迫力にて密着させる。このように防水パッキン体１５を電池ケース５内に嵌入して密着させることで、電池ケース５は、水密状態に保たれる。また、装填されている電池４は、図示しない付勢部材により開口側方向に付勢されており、４本の電池４の電極は、端子１７と接触する。
【００３９】
電池ケース５を開放する場合は、一旦、ロックレバー部８を非ロック位置にスライドさせて、ロックレバー受け部１０の係合部２９を押さえ板１４の係合長穴４０の第２長穴４２から外した後、電池蓋体９を反ヒンジピン側の非係止位置へスライドさせる。この反ヒンジピン側へのスライド移動時には、板ばね体１１のクリック用ばね３０が電池蓋体９の一時係合部３１に係合して、電池蓋体９は非係止位置でクリック保持され、同時に板ばね体１１の蓋止め部３２が電池蓋体９の蓋止め突起部３３に当たるとともに、電池蓋体９のスライド係合部１９の反ヒンジピン側の面が電池ケースの開口凹部６の被係合部２０のヒンジピン１３側の面に当たり、それ以上、スライド移動できない。
【産業上の利用可能性】
【００４０】
本発明にかかる電子機器の電池蓋構造は、電池蓋が閉止した状態において電池蓋体をスライド移動させることで電池ケースの開放を可能にする電池蓋に対して、電池蓋閉止時に電池蓋体のスライド移動を阻止するための係合長穴および、その係合長穴に係合してスライドする係合部を設けた構造において、係合長穴をスライドする係合部の摩耗や、摩擦によるスライド動作阻害を回避でき、電池等のケースの蓋として有用である。
【図面の簡単な説明】
【００４１】
【図１】本発明の実施の形態におけるストロボ装置の上側からみた斜視図
【図２】本発明の実施の形態におけるストロボ装置の底側からみた斜視図
【図３】本発明の実施の形態における電池蓋の分解斜視図
【符号の説明】
【００４２】
１      本体部
２      発光部
３      連結部
４      電池
５      電池ケース
６      電池ケースの開口凹部
７      電池蓋
８      ロックレバー部
９      電池蓋体
１０      ロックレバー受け部
１１      板ばね体
１２      蓋付勢ばね
１３      ヒンジピン
１４      押さえ板
１５      防水パッキン体
１６      端子押さえ板
１７      端子
１８      スライドガイド部
１９      スライド係合部
２０      被係合部
２１      係止爪
２２      被係止部
２３      電池蓋体の凹部
２４      ロックレバー部の突起部
２５      スライド穴
２６      ロックレバー受け部の突起部
２７      付勢用つるまきばね
２８      嵌合部
２９      係合部
３０      クリック用ばね
３１      一時係合部
３２      蓋止め部
３３      蓋止め突起部
３４      トレース部
３５      板ばね体のネジ挿通穴
３６      板ばね体の曲がり防止用のリブ
３７      板ばね体の蓋止め部の補強用凹部
３８      軸支持部
３９      押さえ板のネジ挿通穴
４０      係合長穴
４１      第１長穴
４２      第２長穴
４３      防水パッキン体の凹部
４４      防水パッキン体のネジ挿通穴
４５      端子押さえ板の凹部
４６      端子押さえ板の第１突起部
４７      端子押さえ板の第２突起部
４８ａ、４８ｂ      接点部
４９      貫通穴
５０      ネジ
【図１】
2008181767.tif 000003
【図２】
2008181767.tif 000004
【図３】
2008181767.tif 000005